(57)【要約】【課題】  複数の電池が接続される電子機器において、片方の電池が空であってもそれぞれの電池に対しての電圧確認処理を正常に行えるようにする。【解決手段】  複数の電池が接続される電子機器（１００）は、電子機器の制御を行う制御手段と、電子機器内の電池それぞれに対し接続が可能なように、電源経路切り替えを行う電源切替手段と、電子機器内の電池それぞれの電圧を比較する電池電圧比較手段と、電池電圧比較手段の比較結果から、電圧が高い電池から電力を供給するよう電源切替手段を制御する供給モード設定手段と、接続する電池を制御手段のシーケンスに応じて任意に指定するよう電源切替手段を制御する任意指定モード設定手段とを有し、消費電流が大きい起動直後は供給モードになり、消費電流が小さくなると見込まれる所定時間経過後は任意指定モードになるように、電源切替手段を制御する。【選択図】  図１
2019201463.tif 000002
【特許請求の範囲】
【請求項１】
複数の電池が接続される電子機器であって、
前記電子機器の制御を行う制御手段と、
前記電子機器内の電池それぞれに対し接続が可能なように、電源経路切り替えを行う電源切替手段と、
前記電子機器内の電池それぞれの電圧を比較する電池電圧比較手段と、
前記電池電圧比較手段の比較結果から、電圧が高い電池から電力を供給するよう前記電源切替手段を制御する供給モード設定手段と、
接続する電池を前記制御手段のシーケンスに応じて任意に指定するよう前記電源切替手段を制御する任意指定モード設定手段と
を有し、
消費電流が大きい起動直後は供給モードになり、消費電流が小さくなると見込まれる所定時間経過後は任意指定モードになるように、前記電源切替手段を制御することを特徴とする電子機器。
【請求項２】
電池電圧検出手段を有し、前記任意指定モード設定手段で接続する電池を任意に指定して、前記電池電圧検出手段で電池電圧確認処理を行うことを特徴とする請求項１に記載の電子機器。
【請求項３】
電池それぞれに対し充電が可能な充電手段と、
前記電池電圧検出手段での確認結果によって充電動作実行の有無を判定する充電実行判定手段と
を有することを特徴とする請求項２に記載の電子機器。
【請求項４】
消費電流測定手段を有し、消費電流が所定値以上なら供給モードに、消費電流が所定値以下となったら任意指定モードに、前記電源切替手段を制御することを特徴とする請求項１に記載の電子機器。
【発明の詳細な説明】
【技術分野】
【０００１】
本発明は、複数の電池が接続される電子機器などに関するものである。
【背景技術】
【０００２】
特許文献１には、電圧の異なる複数の電池が装填されている場合に、最も高電圧の電池が給電を行うようにする方法が記載されている。
【先行技術文献】
【特許文献】
【０００３】
【特許文献１】特開２００８−１５８２８７号公報
【発明の概要】
【発明が解決しようとする課題】
【０００４】
このような機器内に複数電池が装填された場合、充電や起動などに備えた電池情報確認のため、図７に示すように電源経路をそれぞれの電池に切り替えて電池電圧を確認する処理が必要である。
【０００５】
しかしながら、特許文献１に記載されている方法では、常に最も高電圧の電池に電源経路を接続するため、電源経路をそれぞれの電池に切り替えて電圧を確認することができない。また、図７のようにマイコンへの電力供給経路と電圧確認経路を兼用させている構成において、もしも片方の電池が残量がない空電池であった場合、空電池側に電源経路を切り替えると、電池からの出力がないためマイコンなどの回路への電力供給元がなくなる。図８（ａ）に示すように、それと消費電流が大きくなる起動処理のタイミングが重なると電力が不足して図８（ｂ）のように電圧が低下し、マイコンが動作せず電子機器自体がシャットダウンしてしまう問題があった。
【０００６】
ここで、図９に示すように電力供給経路とは別に、物理的に２つの電池出力をマイコンなどの電池電圧検出手段にそれぞれ接続して電圧検出する構成も考えられるが、それではマイコンのポート数が増加しコストアップに繋がってしまう。
【０００７】
そこで、本発明は、複数の電池が接続される電子機器において、コストを抑えた構成としながら、片方の電池が空であってもそれぞれの電池に対しての電圧確認処理を正常に行えるようにすることを目的とする。
【課題を解決するための手段】
【０００８】
本発明に係る電子機器は、複数の電池が接続される電子機器であって、前記電子機器の制御を行う制御手段と、前記電子機器内の電池それぞれに対し接続が可能なように、電源経路切り替えを行う電源切替手段と、前記電子機器内の電池それぞれの電圧を比較する電池電圧比較手段と、前記電池電圧比較手段の比較結果から、電圧が高い電池から電力を供給するよう前記電源切替手段を制御する供給モード設定手段と、接続する電池を前記制御手段のシーケンスに応じて任意に指定するよう前記電源切替手段を制御する任意指定モード設定手段とを有し、消費電流が大きい起動直後は供給モードになり、消費電流が小さくなると見込まれる所定時間経過後は任意指定モードになるように、前記電源切替手段を制御する。
【発明の効果】
【０００９】
本発明によれば、複数の電池が接続される電子機器において、コストを抑えた構成としながら、片方の電池が空であってもそれぞれの電池に対しての電圧確認処理を正常に行うことができる。
【図面の簡単な説明】
【００１０】
【図１】実施形態１における電子機器１００の構成例を示す図である。
【図２】実施形態１における電子機器１００の動作例を示すフローチャートである。
【図３】実施形態１における電流と電圧の関係を示すグラフである。
【図４】実施形態２における電子機器２００の構成例を示す図である。
【図５】実施形態２における電子機器２００の動作例を示すフローチャートである。
【図６】実施形態２における電流と電圧の関係を示すグラフである。
【図７】従来例１における電子機器７００の構成例を示す図である。
【図８】従来例１における電流と電圧の関係を示すグラフである。
【図９】従来例２における電子機器９００の構成例を示す図である。
【発明を実施するための形態】
【００１１】
以下、図面を参照して本発明の実施形態を説明する。ただし、本発明は以下の実施形態に限定されるものではない。
【００１２】
［実施形態１］
実施形態１では、消費電流が大きい起動直後は供給モードに、消費電流が小さくなると見込まれる所定時間経過後は任意指定モードに、電源切替手段を時間的に制御する電子機器１００の例を述べる。
【００１３】
以下、図１の構成図、図２のフローチャート、図３のグラフを参照して、実施形態１における電子機器１００の構成例および動作例を説明する。
【００１４】
図１を参照して、実施形態１における電子機器１００の構成例を説明する。図１において、電子機器１００は、マイコン１０１、電源切替部１０５、電池電圧比較部１０６、供給モード設定部１０７、充電部１０８、第１の電池装着検出部１０９、第２の電池装着検出部１１０、第１の電池１１１および第２の電池１１２を有する。マイコン１０１は、電池電圧検出部１０２、充電実行判定部１０３および任意指定モード設定部１０４を有する。
【００１５】
電池電圧検出部１０２は、電源切替部１０５にて接続された電池から出力される電圧の検出を行う。充電実行判定部１０３は、電池電圧検出部１０２で検出された電池の電圧値から充電を実行するか否かを判定し、充電部１０８を制御する。任意指定モード設定部１０４は、接続する電池を電子機器制御手段のシーケンスに応じて任意に指定するよう電源切替部１０５を制御する。電源切替部１０５は、第１の電池１１１および第２の電池１１２のどちらの電池から電子機器１００に電力を供給するのか、第１の電池１１１および第２の電池１１２のどちらの電池に充電を行うのかの電源経路の切り替えを行う。
【００１６】
電池電圧比較部１０６は、電子機器１００に装填された第１の電池１１１および第２の電池１１２の電圧を比較する。供給モード設定部１０７は、電池電圧比較部１０６の結果から、第１の電池１１１および第２の電池１１２のうちで電圧が高い電池から電力を供給するよう電源切替部１０５を制御する。充電部１０８は、第１の電池１１１および第２の電池１１２の充電を行う。第１の電池装着検出部１０９は、第１の電池１１１が装着されたか否かの検出を行う。第２の電池装着検出部１１０は、第２の電池１１２が装着されたか否かの検出を行う。
【００１７】
第１の電池１１１および第２の電池１１２は、電子機器１００に装着された電池である。実施形態１においては、第１の電池１１１が空電池、第２の電池１１２がある程度残量のある通常電池とする。
【００１８】
次に、図２のフローチャートを参照して、実施形態１における電子機器１００の動作例を説明する。ステップＳ１０１では、第１の電池装着検出部１０９が、電子機器１００に第１の電池１１１が装着されているか否かを検出する。装着されていればステップＳ１０３に、そうでなければステップＳ１０２に進む。ステップＳ１０２では、第２の電池装着検出部１１０が、電子機器１００に第２の電池１１２が装着されているか否かを検出する。装着されていればステップＳ１０３に、そうでなければステップＳ１０１を繰り返す。ステップＳ１０１とＳ１０２にて、どちらか一方でも電池が装填されたことを検出してＳ１０３に進むこととしている。
【００１９】
ステップＳ１０３では、電池電圧比較部１０６が、第１の電池１１１と第２の電池１１２それぞれの電圧を比較する。ステップＳ１０４では、供給モード設定部１０７が、電池電圧比較部１０６での比較結果から、第１の電池１１１および第２の電池１１２のうちで電圧が高い電池に電源経路を接続するよう電源切替部１０５を制御する。ステップＳ１０５では、ステップＳ１０４の電圧が高い電池から電力を供給した状態を所定時間保持する。図３（ａ）に示すように起動直後からこの処理の間にマイコンの起動処理が行われ消費電流が大きくなるが、電圧が高い電池から電力を供給されているため、図３（ｂ）に示すようにマイコンの電圧降下はない。
【００２０】
ステップＳ１０６では、第１の電池装着検出部１０９が、電子機器１００に第１の電池１１１が装着されているか否かを再度検出する。装着されていればステップＳ１０７に、そうでなければステップＳ１０９に進む。
【００２１】
ステップＳ１０７では、任意指定モード設定部１０４が、第１の電池１１１に電源経路を接続するよう電源切替部１０５を制御する。今回は第１の電池１１１は空電池のため電源の供給元がなくなり電圧が低下していくが、消費電流が大きいマイコン起動処理はステップＳ１０５のタイミングで終了しておりこの段階では消費電流は小さいため、電力は不足せずマイコン動作閾値を下回ることはない。ステップＳ１０８では、電池電圧検出部１０２が、現在接続されている第１の電池１１１の電圧の検出を行う。
【００２２】
ステップＳ１０９では、第２の電池装着検出部１１０が、電子機器１００に第２の電池１１２が装着されているか否かを再度検出する。装着されていればステップＳ１１０に、そうでなければステップＳ１１２に進む。ステップＳ１１０では、任意指定モード設定部１０４が、第２の電池１１２に電源経路を接続するよう電源切替部１０５を制御する。今回は第２の電池１１２は通常電池で電圧を出力しているため、電圧降下はない。ステップＳ１１１では、電池電圧検出部１０２が、現在接続されている第２の電池１１２の電圧の検出を行う。
【００２３】
ステップＳ１１２では、第１の電池装着検出部１０９が、電子機器１００に第１の電池１１１が装着されているか否かを再度検出する。装着されていればステップＳ１１３に、そうでなければステップＳ１１６に進む。ステップＳ１１３では、充電実行判定部１０３が、ステップＳ１０８で検出した第１の電池１１１の電圧値が所定値以下であるかによって、第１の電池１１１に対し充電を行うか否かを判定する。所定値以下であれば充電を行うためにステップＳ１１４に、そうでなければ充電を行わずにステップＳ１１６に進む。
【００２４】
ステップＳ１１４では、任意指定モード設定部１０４が、第１の電池１１１に電源経路を接続するよう電源切替部１０５を制御する。ステップＳ１１５では、充電部１０８が、第１の電池１１１に対し充電を行う。ステップＳ１１６では、第２の電池装着検出部１１０が、電子機器１００に第２の電池１１２が装着されているか否かを再度検出する。装着されていればステップＳ１１７に、そうでなければ処理を終了する。
【００２５】
ステップＳ１１７では、充電実行判定部１０３が、ステップＳ１１１で検出した第２の電池１１２の電圧値が所定値以下であるかによって、第２の電池１１２に対し充電を行うか否かを判定する。所定値以下であれば充電を行うためにステップＳ１１８に、そうでなければ充電を行わずに処理を終了する。ステップＳ１１８では、任意指定モード設定部１０４が、第２の電池１１２に電源経路を接続するよう電源切替部１０５を制御する。ステップＳ１１９では、充電部１０８が、第２の電池１１２に対し充電を行う。
【００２６】
以上説明したように、実施形態１によれば、消費電流が大きい起動直後は供給モードに、消費電流が小さくなると見込まれる所定時間経過後は任意指定モードに、電源切替手段を時間的に制御することで、片方の電池が空であってもそれぞれの電池に対しての電圧確認処理を正常に行うことができるシステムが可能となる。
【００２７】
なお、図１の構成図および図２のフローチャートにおいては２つの電池が装着された場合の処理を記載したが、必ずしも２つである必要はなく、１つでも複数個であってもよい。また、図１の構成図においては電源電圧比較部１０６と供給モード設定部１０７がマイコン１０１と別部品で構成されている例を記載したが、必ずしも別部品である必要はなく、マイコン１０１内に機能を内蔵させてもよい。
【００２８】
［実施形態２］
実施形態２では、消費電流が所定値以上なら供給モードに、消費電流が所定値以下となったら任意指定モードに、電源切替手段を消費電流に応じて制御する電子機器２００の例を述べる。
【００２９】
以下、図４の構成図、図５のフローチャート、図６のグラフを参照して、実施形態２の構成例および動作例を説明する。図４を参照して、実施形態２における電子機器２００の構成例を説明する。図４において、消費電流測定部２１３は、マイコン１０１にて消費される電流値を所定時間毎に測定する。なお、その他の構成２００〜２１２は実施形態１における図１の１００〜１１２と同様のため、それらの説明を省略する。
【００３０】
次に、図５のフローチャートを参照して、実施形態２における電子機器２００の動作例を説明する。なお、図５のステップＳ２０１〜Ｓ２０４およびＳ２０７〜Ｓ２２０は実施形態１における図２のステップＳ１０１〜Ｓ１０４およびＳ１０６〜Ｓ１１９と同様のため、それらの説明を省略する。ステップＳ２０５では、消費電流測定部２１３が、マイコン１０１にて消費される電流値を所定時間毎に測定する。
【００３１】
ステップＳ２０６では、消費電流測定部２１３が、測定した消費電流が所定値以下か否かを判定する。所定値以下であればマイコンの起動処理が終了していると判定してステップＳ２０７に、そうでなければ起動処理が終了していないと判定してステップＳ２０５に戻る。図６（ａ）に示すように起動直後からこの処理の間にマイコンの起動処理で消費電流が大きくなるが、ステップＳ２０４で電圧が高い電池から電力を供給しているため、図６（ｂ）に示すようにマイコン電圧の降下はない。
【００３２】
以上説明したように、実施形態２によれば、消費電流が所定値以上なら供給モードに、消費電流が所定値以下となったら任意指定モードに、電源切替手段を消費電流に応じて制御することで、片方の電池が空であってもそれぞれの電池に対しての電圧確認処理を正常に行うことができるシステムが可能となる。
【００３３】
なお、図４の構成図および図５のフローチャートにおいては２つの電池が装着された場合の処理を記載したが、必ずしも２つである必要はなく、１つでも複数個であってもよい。また、図４の構成図においては電源電圧比較部２０６、供給モード設定部２０７、消費電流測定部２１３がマイコン２０１と別部品で構成されている例を記載したが、必ずしも別部品である必要はなく、マイコン２０１内に機能を内蔵させてもよい。
【００３４】
なお、本発明の実施形態は上述の実施形態１または２に限定されるものではない。発明の要旨を逸脱しない範囲で変更または修正された上述の実施形態１または２も本発明の実施形態に含まれる。
【符号の説明】
【００３５】
１００  電子機器
２００  電子機器
【図１】
2019201463.tif 000003
【図２】
2019201463.tif 000004
【図３】
2019201463.tif 000005
【図４】
2019201463.tif 000006
【図５】
2019201463.tif 000007
【図６】
2019201463.tif 000008
【図７】
2019201463.tif 000009
【図８】
2019201463.tif 000010
【図９】
2019201463.tif 000011